【手続補正書】
【提出日】令和2年11月18日(2020.11.18)
【手続補正１】
【補正対象書類名】明細書
【補正対象項目名】００１０
【補正方法】変更
【補正の内容】
【００１０】
図面に示され、本明細書に記載された実施形態は、連結ベッド用の作動システムを提供し、連結ベッドは、現代のベッド設計のために最小の垂直形状を提示するために小型垂直空間に実装されてもよい。図を参照すると、図１は、ベッドの連結要素が連結されていない位置にある、超小型形状の作動システムを組み込む調節可能なベッドの例示的実施形態を示す。図１からわかるように、連結されていない位置において側レール１１ａ、１１ｂおよび端レール１３ａ、１３ｂを有する枠１０は、上半身連結構造１２および座支持区分１４を担持する。枠１０は脚１５によって支持されてもよい。上半身連結構造は支持枠１６を含み、支持枠１６は側レール１１ａ、１１ｂの間に延在する交差枠部材２０にヒンジ１８で取り付けられる。支持枠に係合されたシャトル１７は、その開示が参照により本明細書に組み込まれる、２０１３年７月１９日に出願された米国特許出願第１３／９４６，９７０号明細書、および「可撓性マットレス支持部を備えた連結ベッド」の名称で２０１４年１２月１６日に発行された米国特許第８９１０３２８号明細書に開示されたように、可撓性マットレス支持部に取り付ける。ボルスタ１９は枠１０を包囲してもよい。
【手続補正２】
【補正対象書類名】明細書
【補正対象項目名】００１２
【補正方法】変更
【補正の内容】
【００１２】
大腿および下肢挙上機構３０は、第２のアクチュエータ３２の頭部における第１の回転点３３で足端レール１３ｂに、また第１の脚３６の第１の端部における第２の回転点３４に取り付けられた第２のアクチュエータによって作動される。アクチュエータを伸張すると、第１の脚３６は、第２の脚４０上の回転点３７で反応するために圧縮して置かれる。第２の脚４０は、第２の回転点３９において第２の枠交差部材３８を取り付けられ、回転点３４と回転点３９との間の圧縮により（図７Ｂ参照）、第１の脚３６および第２の脚４０は協働して上方に回転する（図７Ａ及び７Ｂから最もよくわかるように）。第１の脚３６は第２の端部において大腿支持区分４２上の第３の回転点４１に取り付けられ、大腿支持区分４２は、第３の交差枠部材３１を取り付けたヒンジ４３を中心に回転する。ブラケット４８で回転点４７において側レール１１ａ、１１ｂに枢動可能に取り付けられた固定長のリアクションロッド４４は、大腿支持区分４２によって係合された可撓性マットレス支持部の大腿部と下肢支持部との間に相対回転を引き起こす。大腿支持区分４２の遠位部４９は、挙上位置における可撓性マットレス支持部の輪郭に合わせるために弓形である。
【手続補正３】
【補正対象書類名】特許請求の範囲
【補正対象項目名】全文
【補正方法】変更
【補正の内容】
【特許請求の範囲】
【請求項１】
頭端レール、足端レールを備え、側枠レールを有する支持枠と、
前記枠内の第１の交差部材に回転可能に連結された上半身支持枠と、
前記上半身支持枠用の挙上組立体であって、
ヒンジで前記第１の交差部材に取り付けられた２つの傾斜アームと、
頂点で前記傾斜アームに取り付けられた第１の対の車輪と、
前記ヒンジから遠位の前記アームの端部に取り付けられた第２の対の車輪とを有する、挙上組立体と、
前記頭端レールから前記傾斜アームの間に延在する交差ブレースに取り付けられた第１のアクチュエータであって、前記挙上組立体は、前記第１の対の車輪が前記上半身支持部内で長手方向軌道と接触して前記上半身支持枠を上昇させる第１の範囲の動き、および前記第２の対の車輪が前記長手方向軌道と接触して前記ヒンジを中心に連続回転して前記上半身支持枠を上昇させる第２の範囲の動きを有する、第１のアクチュエータとを含むことを特徴とする連結ベッド。
【請求項２】
請求項１に記載の連結ベッドにおいて、前記傾斜アームは前記ヒンジから前記頂点に延在する第１の部分、および前記頂点から前記遠位端に延在する第２の部分を有することを特徴とする連結ベッド。
【請求項３】
請求項２に記載の連結ベッドにおいて、前記第１の部分は、少なくとも１４．５°の前記第１のアクチュエータの伸張軸に対して初期角度を有することを特徴とする連結ベッド。
【請求項４】
請求項３に記載の連結ベッドにおいて、前記第１の部分および第２の部分は１６０°〜１７２°の角度を有することを特徴とする連結ベッド。
【請求項５】
請求項４に記載の連結ベッドにおいて、前記第１の部分の長さは前記第２の部分の少なくとも４／６であることを特徴とする連結ベッド。
【請求項６】
請求項１に記載の連結ベッドにおいて、前記足端レールに取り付けられた第２のアクチュエータと、
第１の端部で前記アクチュエータの伸張ロッド上の回転点に取り付けられた第１の脚と、
前記第１の脚の回転点で前記第１の脚に連結された第２の脚において、前記第２の脚は、第２の回転点で前記枠の第２の交差部材に取り付けられる、第２の脚と、
前記枠に取り付けられ、第３の回転点で前記第１の脚の第２の端部に連結されたヒンジを中心に回転可能な大腿支持部において、それによって前記第１の回転点と前記第２の回転点との間で前記第２のアクチュエータにより前記第１の脚を圧縮することにより、前記第１の脚および前記第２の脚が協働して上方に回転し、前記第１の脚は前記ヒンジを中心に前記大腿支持区分を回転させる、大腿支持区分とをさらに含むことを特徴とする連結ベッド。
【請求項７】
請求項６に記載の連結ベッドにおいて、回転点で前記枠に枢動可能に取り付けられた固定長のリアクションロッドと、
前記固定長のリアクションロッドを前記可撓性マットレス支持部に係合するブラケットにおいて、それによって相対回転が前記大腿支持区分によって係合された前記可撓性マットレス支持部の一部と下肢支持部との間に誘発される、ブラケットとをさらに含むことを特徴とする連結ベッド。
【請求項８】
頭端レール、足端レールを備え、中心交差部材を備えた側枠レールを有する、支持枠と、
車輪で前記支持枠から支持され、第１の位置から前記頭端レールに向かって第２の位置に移動するように適合された搬送部と、
前記搬送部内で頭端交差支持部に回転可能に連結された上半身支持枠と、
前記上半身支持枠用の挙上組立体であって、
ヒンジで前記頭端交差支持部に取り付けられた２つの傾斜アームと、
頂点で前記傾斜アームに取り付けられた第１の対の車輪と、
前記ヒンジから遠位の前記アームの端部に取り付けられた第２の対の車輪とを有する、挙上組立体と、
前記中心交差部材から前記頭端交差支持部に取り付けられた第１のアクチュエータにおいて、前記第１のアクチュエータの伸張により、前記搬送部を前記第１の位置から前記頭端レールに向かって移動する、第１のアクチュエータと、
前記頭端レールと、前記傾斜アームの間に延在する交差ブレースとの間に回転可能に連結された少なくとも１つのリアクションロッドであって、前記挙上組立体は、前記第１の対の車輪が長手方向レールと接触して前記上半身支持枠を上昇させるように、前記搬送部の移動に応答する第１の範囲の動き、および前記第２の対の車輪が前記長手方向レールと接触して、前記ヒンジを中心に前記上半身支持枠が連続回転して前記上半身支持枠を上昇させる第２の範囲の動きを有する、少なくとも１つのリアクションロッドとを含むことを特徴とするウォールハガーの連結ベッド。
【請求項９】
請求項８に記載の連結ベッドにおいて、前記傾斜アームは前記ヒンジから前記頂点に延在する第１の部分、および前記頂点から前記遠位端に延在する第２の部分を有することを特徴とする連結ベッド。
【請求項１０】
請求項９に記載の連結ベッドにおいて、前記第１の部分は、少なくとも１４．５°の前記第１のアクチュエータの伸張軸に対して初期角度を有することを特徴とする連結ベッド。
【請求項１１】
請求項１０に記載の連結ベッドにおいて、前記第１の部分および第２の部分は１６０°〜１７２°の角度を有することを特徴とする連結ベッド。
【請求項１２】
請求項１１に記載の連結ベッドにおいて、前記第１の部分の長さは前記第２の部分の少なくとも４／６であることを特徴とする連結ベッド。
【請求項１３】
請求項８に記載の連結ベッドにおいて、前記足端交差支持部に取り付けられた第２のアクチュエータと、
第１の端部で前記アクチュエータの伸張ロッド上の回転点に取り付けられた第１の脚と、
回転点で前記第１の脚の第２の端部に連結された第２の脚において、前記第２の脚は、第２の回転点で前記枠の交差部材に取り付けられる、第２の脚と、
前記搬送部に取り付けられ、第３の回転点で前記第１の脚の第２の端部に連結されたヒンジを中心に回転可能な大腿支持区分において、それによって前記第１の回転点と前記第２の回転点との間で前記第２のアクチュエータにより前記第１の脚を圧縮することにより、前記第１の脚および前記第２の脚が協働して上方に回転し、前記第１の脚は前記ヒンジを中心に前記大腿支持区分を回転させる、大腿支持区分とをさらに含むことを特徴とする連結ベッド。
【請求項１４】
請求項１３に記載の連結ベッドにおいて、回転点で前記搬送部に枢動可能に取り付けられた固定長のリアクションロッドと、
前記固定長のリアクションロッドを前記可撓性マットレス支持部に係合するブラケットにおいて、それによって相対回転が前記大腿支持区分によって係合された前記可撓性マットレス支持部の一部と、下肢支持部との間に誘発される、ブラケットとをさらに含むことを特徴とする連結ベッド。
【手続補正４】
【補正対象書類名】図面
【補正対象項目名】図１
【補正方法】変更
【補正の内容】
【図１】
2019531830.tif 000001